(57)【要約】【課題】  流通過程で掛止ラベルが回転し難くなるように装着され、且つ掛止ラベルの表示片が略鉛直方向に起立した、掛止ラベル付き容器を提供する。【課題手段】  第１正面領域２１及び第２正面領域２２を有する正面表示片２、第１背面領域３１及び第２背面領域３２を有する背面表示片３、右面片４及び左面片５に区画され、第２正面領域２２と右面片４及び左面片５との連設部分、並びに、第２背面領域３２と右面片４及び左面片５の連設部分に、それぞれ折り罫線７１，７２，７３，７４が設けられており、正面表示片２及び背面表示片３が、折り罫線７１，７２，７３，７４において折り曲げられ、第１正面領域２１及び第１背面領域３１が胴部９２の正面９２ａ及び背面９２ｂに接した状態で正面表示片２及び背面表示片３が起立している。【選択図】  図７
2015067280.tif 000002
【特許請求の範囲】
【請求項１】
平坦な正面及び背面を有する胴部を有する容器と、
第１正面領域及びこれとは反対側の第２正面領域を有する正面表示片、第１背面領域及びこれとは反対側の第２背面領域を有する背面表示片、右面片及び左面片に区画され、第１正面領域と第１背面領域が向かい合い且つ右面片と左面片が向かい合っていると共に、前記第２正面領域の両側部が右面片及び左面片の各一方側部に連設され且つ前記第２背面領域の両側部が右面片及び左面片の各他方側部に連設されている掛止ラベルと、を備え、
前記第２正面領域と右面片及び左面片との連設部分、並びに、前記第２背面領域と右面片及び左面片の連設部分に、それぞれ折り罫線が設けられており、
前記正面表示片及び背面表示片が、前記折り罫線において、前記第１正面領域及び第１背面領域を下方に且つ第２正面領域及び第２背面領域を上方に向けて折り曲げられ、
前記第１正面領域及び第１背面領域が前記胴部の正面及び背面に接した状態で前記正面表示片及び背面表示片が起立している、掛止ラベル付き容器。
【請求項２】
前記容器が、前記胴部の上方に形成された肩部と、前記肩部の上方に形成され且つ内側に凹んだ段部と、をさらに有し、
前記右面片及び左面片の少なくとも何れか一方の一部分が前記段部に係止されている、請求項１に記載の掛止ラベル付き容器。
【請求項３】
前記右面片及び左面片の少なくとも何れか一方には、先端部を外側に折り曲げることにより屈曲部が形成され、前記屈曲部が前記段部に係止されている、請求項２に記載の掛止ラベル付き容器。
【請求項４】
前記右面片が第１右面領域及びこれとは反対側の第２右面領域を有し、前記左面片が第１左面領域及びこれとは反対側の第２左面領域を有し、前記第２正面領域の両側部が第２右面領域及び第２左面領域の各一方側部に連設され且つ前記第２背面領域の両側部が第２右面領域及び第２左面領域の各他方側部に連設されており、
前記第２右面領域及び第２左面領域が前記容器の肩部に接している、請求項２または３に記載の掛止ラベル付き容器。
【発明の詳細な説明】
【技術分野】
【０００１】
本発明は、広告宣伝効果を高めるために掛止ラベルが装着された掛止ラベル付き容器に関する。
【背景技術】
【０００２】
従来、広告宣伝効果を高める目的で、商品名、懸賞案内などの各種広告を表示した掛止ラベル（首掛けラベルなどとも呼ばれる）が、容器の上方部に装着されている。
例えば、特許文献１には、第１の切れ目線（２）が略中央に１本設けられ、前記第１の切れ目線（２）に対して略垂直に交差するように２本の第２の切れ目線（３），（３）が設けられ、さらに、外側に延びた延設切れ目線（２ａ），（２ａ）が設けられたシート材からなり、第１の切れ目線（２）で対向する一対の起立可能な突出片（４），（４）と、第２の切れ目線（３），（３）を介してそれぞれ折り曲げられて対向して立ち上がる一対の立ち上がり片（５），（５）と、を有し、ボトルのネック部に挿着された後、ボトルのネジ部下端（８）に突出片（４）、（４）の先端縁がそれぞれ対向して当接して固定され、かつ、立ち上がり片（５），（５）の下端の一部周縁がボトル肩部を覆うように折り曲げられて立ち上がったボトルネッカーラベル付き容器が開示されている。
ただし、上記用語及び符号については、特許文献１に記載のものを用いている。
【０００３】
しかしながら、上記従来のボトルネッカーラベル付き容器は、その流通過程で異物等と接触することにより、ボトルネッカーラベルが回転して位置ずれを起こす虞がある。
さらに、上記ボトルネッカーラベルは、立ち上がり片（５）を折り曲げた際に、立ち上がり片（５）と突出片（４）の連設部分において無秩序に折れるので、立ち上がり片（５）が略鉛直方向に起立せず、お辞儀するように前方斜めに傾く場合がある。このように表示媒体である立ち上がり片が前方斜めに傾くと、消費者から見え難く、十分な広告宣伝効果を発揮できない。
【０００４】
また、上記ボトルネッカーラベル付き容器は、ボトルのネジ部下端（８）に突出片（４）の先端縁が当接され、突出片（４）の板バネ作用によってその先端縁が強くボトルに当たっているので、ボトルネッカーラベルが上方に抜けないように固定されている。かかる固定は、ボトルネッカーラベル付き容器の流通過程では効果的であるが、その反面、それを購入した消費者が、ボトルネッカーラベルを容器から取り外し難いので、その改善が求められる。
【先行技術文献】
【特許文献】
【０００５】
【特許文献１】特開２００７−３２０６００号公報
【発明の概要】
【発明が解決しようとする課題】
【０００６】
本発明の第１の目的は、流通過程で掛止ラベルが回転し難くなるように装着され、且つ掛止ラベルの表示片が略鉛直方向に起立した、掛止ラベル付き容器を提供することである。
本発明の第２の目的は、さらに、装着された掛止ラベルを手で簡単に容器から外すことができる、前記掛止ラベル付き容器を提供することである。
【課題を解決するための手段】
【０００７】
本発明の掛止ラベル付き容器は、平坦な正面及び背面を有する胴部を有する容器と、第１正面領域及びこれとは反対側の第２正面領域を有する正面表示片、第１背面領域及びこれとは反対側の第２背面領域を有する背面表示片、右面片及び左面片に区画され、第１正面領域と第１背面領域が向かい合い且つ右面片と左面片が向かい合っていると共に、前記第２正面領域の両側部が右面片及び左面片の各一方側部に連設され且つ前記第２背面領域の両側部が右面片及び左面片の各他方側部に連設されている掛止ラベルと、を備え、前記第２正面領域と右面片及び左面片との連設部分、並びに、前記第２背面領域と右面片及び左面片の連設部分に、それぞれ折り罫線が設けられており、前記正面表示片及び背面表示片が、前記折り罫線において、前記第１正面領域及び第１背面領域を下方に且つ第２正面領域及び第２背面領域を上方に向けて折り曲げられ、前記第１正面領域及び第１背面領域が前記胴部の正面及び背面に接した状態で前記正面表示片及び背面表示片が起立している。
【０００８】
本発明の好ましい掛止ラベル付き容器は、前記容器が、前記胴部の上方に形成された肩部と、前記肩部の上方に形成され且つ内側に凹んだ段部と、をさらに有し、前記右面片及び左面片の少なくとも何れか一方の一部分が前記段部に係止されている。
より好ましくは、前記右面片及び左面片の少なくとも何れか一方には、先端部を外側に折り曲げることにより屈曲部が形成され、前記屈曲部が前記段部に係止されている。
【０００９】
本発明の好ましい掛止ラベル付き容器は、前記右面片が第１右面領域及びこれとは反対側の第２右面領域を有し、前記左面片が第１左面領域及びこれとは反対側の第２左面領域を有し、前記第２正面領域の両側部が第２右面領域及び第２左面領域の各一方側部に連設され且つ前記第２背面領域の両側部が第２右面領域及び第２左面領域の各他方側部に連設されており、前記第２右面領域及び第２左面領域が前記容器の肩部に接している。
【発明の効果】
【００１０】
本発明の掛止ラベル付き容器は、掛止ラベルの正面表示片及び背面表示片が略鉛直方向に起立し、さらに、流通過程で掛止ラベルが回転し難いので、消費者の目に止まりやすくなる。
さらに、本発明の好ましい掛止ラベル付き容器は、装着された掛止ラベルを手で簡単に容器から外すことができる。
【図面の簡単な説明】
【００１１】
【図１】第１実施形態に係る掛止ラベルの平面図。
【図２】図１のＩＩ−ＩＩ線で切断した拡大断面図。
【図３】図１のＩＩＩ−ＩＩＩ線で切断した拡大断面図。
【図４】同掛止ラベルを折り曲げた状態を示す斜視図。
【図５】第１実施形態に係る掛止ラベル付き容器の斜視図。
【図６】同掛止ラベル付き容器の上面図。
【図７】図６のＶＩＩ−ＶＩＩ線で切断した断面図。
【図８】図６のＶＩＩＩ−ＶＩＩＩ線で切断した断面図。
【図９】第２実施形態に係る掛止ラベルの平面図。
【図１０】同掛止ラベルを折り曲げた状態を示す斜視図。
【図１１】第２実施形態に係る掛止ラベル付き容器の斜視図。
【図１２】同掛止ラベル付き容器の上面図。
【図１３】図１２のＸＩＩＩ−ＸＩＩＩ線で切断した断面図。
【図１４】図１２のＸＩＶ−ＸＩＶ線で切断した断面図。
【図１５】第１実施形態の変形例に係る掛止ラベルの平面図。
【発明を実施するための形態】
【００１２】
本明細書において、「正面」は、掛止ラベル付き容器を任意の１つの方向から見たときに見える１つの面を指し、「背面」は、前記正面とは反対側の面を指す。本明細書において、反対側は、１８０度回転させた側をいう。また、用語の頭に「第１」、「第２」などを付すが、これらは、用語を区別するために用いただけであって、順序や優劣などの特別な意味を持たない。「ＸＸＸ〜ＹＹＹ］という記載は、「ＸＸＸ以上ＹＹＹ以下」を意味する。なお、断面図における厚みなどの寸法は、実際のものとは異なっていることに留意されたい。
【００１３】
［第１実施形態］
（掛止ラベル）
図１乃至図３に於いて、掛止ラベル１は、所要形状に形成された１枚のシート材からなる。掛止ラベル１は、容器に装着する前には、図示のように枚葉状である。
前記シート材は、剛性と可撓性を有するものであれば特に限定されず、紙、厚紙、合成紙、合成樹脂シート、合成樹脂発泡シート及びこれらの積層体、並びに、これらと他のシートの積層体などを用いることができる。通常、前記シート材は、コスト面から、紙、厚紙、合成紙、合成樹脂シート及びこれらの積層体から選ばれる１種が用いられる。紙や厚紙を用いる場合には目付量６０〜１５０ｇ／ｍ２程度のものが好ましい。合成紙や合成樹脂シートを用いる場合には、３０μｍ〜１５０μｍ程度のものが好ましい。
シート材（掛止ラベル１）の外形は、図示したような、平面視矩形状、その他、図示しないが、平面視楕円形状、同円形状、同三角形状などの適宜な形状に形成できる。
【００１４】
掛止ラベル１は、第１正面領域２１及び第２正面領域２２を有する正面表示片２と、第１背面領域３１及び第２背面領域３２を有する背面表示片３と、第１右面領域４１及び第２右面領域４２を有する右面片４と、第１左面領域５１及び第２左面領域５２を有する左面片５と、を有する。第２正面領域２２は、第１正面領域２１とは反対側に位置し、第２背面領域３２は、第１背面領域３１とは反対側に位置し、第２右面領域４２は、第１右面領域４１とは反対側に位置し、第２左面領域５２は、第１左面領域５１とは反対側に位置している。
正面表示片２の第１正面領域２１と背面表示片３の第１背面領域３１は、シート材の重心を基準に向かい合っており、右面片４の第１右面領域４１と左面片５の第１左面領域５１も、シート材の重心を基準に向かい合って配置されている。前記第２正面領域２２の両側部は右面片４及び左面片５の各一方側部に連設され且つ前記第２背面領域３２の両側部が右面片４及び左面片５の各他方側部に連設されており、これらの連設部分に折り罫線７１，７２，７３，７４がそれぞれ形成されている。図１においては、全ての折り罫線を一点鎖線で表している。
シート材の面内に平面視略Ｈ形状の切込み線を形成することにより、シート材が、前記正面表示片２、背面表示片３、右面片４及び左面片５に区画されている。切込み線は、シート材の厚み方向に貫通する切断線である。
【００１５】
具体的には、シート材の面内には、一方向に延びる有端状の第１切込み線６１と、第１切込み線６１の一方端に連設され且つ第１切込み線６１の延びる方向に対して略直交する方向に延びる有端状の第２切込み線６２と、第１切込み線６１の他方端に連設され且つ第１切込み線６１の延びる方向に対して略直交する方向に延びる有端状の第３切込み線６３と、第２切込み線６２の両端から斜めに延びる有端状の第４及び第５切込み線６４，６５と、第３切込み線６３の両端から斜めに延びる有端状の第６及び第７切込み線６６，６７と、が形成されている。前記第４乃至第７切込み線６４，６５，６６，６７は、それぞれ、第２切込み線６２及び第３切込み線６３の各端から、シート材の重心に対して放射方向に斜めに延びているが、前記第４乃至第７切込み線６４，６５，６６，６７の各端は、シート材の縁に至っていない（つまり、各切込み線は有端状である）。なお、略直交する方向は、２つの方向が厳密に９０度となっている場合を意味するわけではなく、９０度±１０度などのように概ね９０度という意味である。
第４切込み線６４の端と第６切込み線６６の端との間の長さ、及び、第５切込み線６５の端と第７切込み線６７の端との間の長さが、容器の胴部の正面と背面との間の長さとほぼ同じになるように、各折り罫線は形成される。このように第４乃至第７切込み線６４，６５，６６，６７を形成することにより、掛止ラベル１を容器に装着した際に、正面表示片２の第１正面領域２１及び背面表示片３の第１背面領域３１が胴部の正面及び背面に接した状態で、正面表示片２及び背面表示片３が略鉛直方向に起立する。
【００１６】
前記第２切込み線６２と、第４切込み線６４と、第５切込み線６５と、第４切込み線６４の端と第５切込み線６５の端を結んだ仮想直線と、で囲われた範囲が、正面表示片２の第１正面領域２１であり、前記仮想直線とシート材の第１縁１１とで区画された範囲が、正面表示片２の第２正面領域２２である。
前記第３切込み線６３と、第６切込み線６６と、第７切込み線６７と、第６切込み線６６の端と第７切込み線６７の端を結んだ仮想直線と、で囲われた範囲が、背面表示片３の第１背面領域３１であり、前記仮想直線とシート材の第２縁１２とで区画された範囲が、背面表示片３の第２背面領域３２である。
前記第１切込み線６１と、第２切込み線６２の一部と、第３切込み線６３の一部と、第４切込み線６４と、第６切込み線６６と、第４切込み線６４の端と第６切込み線６６の端を結んだ仮想直線と、で囲われた範囲が、右面片４の第１右面領域４１であり、前記仮想直線とシート材の第３縁１３とで区画された範囲が、右面片４の第２右面領域４２である。
前記第１切込み線６１と、第２切込み線６２の一部と、第３切込み線６３の一部と、第５切込み線６５と、第７切込み線６７と、第５切込み線６５の端と第７切込み線６７の端を結んだ仮想直線と、で囲われた範囲が、左面片５の第１左面領域５１であり、前記仮想直線とシート材の第４縁１４とで区画された範囲が、左面片５の第２左面領域５２である。
【００１７】
正面表示片２は、第２正面領域２２の一方側部において右面片４の第２右面領域４２の一方側部に連設され且つ第２正面領域２２の他方側部において左面片５の第２左面領域５２の一方側部に連設されている。
背面表示片３は、第２背面領域３２の一方側部において右面片４の第２右面領域４２の他方側部に連設され且つ第２背面領域３２の他方側部において左面片５の第２左面領域５２の他方側部に連設されている。
正面表示片２と右面片４の連設部分には、第１折り罫線７１が形成され、正面表示片２と左面片５の連設部分には、第２折り罫線７２が形成され、背面表示片３と右面片４の連設部分には、第３折り罫線７３が形成され、背面表示片３と左面片５の連設部分には、第４折り罫線７４が形成されている。これらの折り罫線７１，７２，７３，７４は、シート材を折り曲げるための線である。折り罫線としては、図３に示すような、シート材の厚み方向に非貫通で刻み込んだハーフカット線（Ｖノッチ線とも呼ばれる）のほか、特に図示しないが、小さな貫通孔が断続的に形成されたミシン目線、シート材を厚み方向に押し込んだ押し線などが挙げられる。
【００１８】
第１折り罫線７１は、第４切込み線６４の端からシート材の第３縁１３にまで形成され、第２折り罫線７２は、第５切込み線６５の端からシート材の第４縁１４にまで形成され、第３折り罫線７３は、第６切込み線６６の端からシート材の第３縁１３にまで形成され、第４折り罫線７４は、第７切込み線６７の端からシート材の第４縁１４にまで形成されている。各折り罫線７１，７２，７３，７４は、直線状に延びているが、若干湾曲して延びていてもよい。
各折り罫線７１，７２，７３，７４の向き（折り罫線が延びる方向）は、掛止ラベル１を容器に装着して正面表示片２及び背面表示片３を起立させた際に、正面表示片２及び背面表示片３と右面片４及び左面片５との各連設部分に大きな歪みが生じないように、適宜設計される。図示例では、第１折り罫線７１は、第４切込み線６４の端から第４切込み線６４の傾斜方向とは逆向き傾斜で、第３縁１３に対して３５度〜７５度となるように延びている。第２折り罫線７２は、第５切込み線６５の端から第５切込み線６５の傾斜方向とは逆向き傾斜で、第４縁１４に対して３５度〜７５度となるように延びている。第３折り罫線７３は、第６切込み線６６の端から第６切込み線６６の傾斜方向とは逆向き傾斜で、第３縁１３に対して３５度〜７５度となるように延びている。第４折り罫線７４は、第７切込み線６７の端から第７切込み線６７の傾斜方向とは逆向き傾斜で、第４縁１４に対して３５度〜７５度となるように延びている。
【００１９】
さらに、右面片４及び左面片５の面内には、副切込み線６８，６９がそれぞれ形成されている。右面片４に形成された右副切込み線６８及び左面片５に形成された左副切込み線６９は、それぞれ両端を有し、両端から第１切込み線６１側に向かって膨らんだ非直線有端状の切込み線である。この右副切込み線６８で区画される範囲（副右面片４９という）及び左副切込み線６９で区画される範囲（副左面片５９という）は、それぞれ右面片４及び左面片５から折り曲げることができる。
上記のような掛止ラベル１は、正面表示片２と背面表示片３、右面片４と左面片５、副右面片４９と副左面片５９が、それぞれシート材の重心を基準とする点対称に形成されている。
かかる掛止ラベル１は、図４に示すように、前記正面表示片２及び背面表示片３を、前記第１正面領域２１及び第１背面領域３１が下方に且つ第２正面領域２２及び第２背面領域３２が上方に向くように、前記各折り罫線７１，７２，７３，７４において折り曲げて使用される。
【００２０】
（掛止ラベル付き容器）
図５乃至図８において、掛止ラベル付き容器１０は、容器９と、前記容器９の上方部に装着された掛止ラベル１と、を有する。
前記容器９は、接地面となる底部９１と、前記底部９１の上方に形成され且つ平坦な正面９２ａ及び背面９２ｂを有する中空状の胴部９２と、前記胴部９２の上方に形成され且つ上方に向かうに従い内側に縮径した肩部９３と、前記肩部９３の上方に形成された首部９４と、前記首部９４に取り付けられた蓋部９５と、前記肩部９３の上方に形成され且つ内側に凹んだ段部９６と、を有する。図示例では、蓋部９５が首部９４よりも径大に形成されており、段部９６は、径大な蓋部９５とそれよりも径小な首部９４の径差によって生じている。つまり、図示例では、段部９６は、蓋部９５の下端と首部９４の外面との間で構成されている。もっとも、段部９６は、蓋部９５と首部９４との径差によって形成される場合に限られず、例えば、首部９４又は蓋部９５の外面の一部に外側に突出する突起部を設け、この突起部と首部９４又は蓋部９５の外面との径差によって形成されていてもよいし、或いは、首部９４又は蓋部９５の外面の一部に内側に凹む凹み部を設け、この凹み部を段部としてもよい（何れも図示せず）。
【００２１】
前記中空状の胴部９２は、平坦な正面９２ａ及び背面９２ｂを有していることを条件として、胴部９２の全体形状は特に限定されない。ここで、本発明において、平坦な正面及び平坦な背面とは、正面及び背面のそれぞれが、鏡面のように厳密な意味での平坦ではなく、一般に円弧面でないと認められる範囲で、外側又は内側に湾曲している場合を含む意味である。実際の容器においては、一般に平坦と思われている正面及び背面も流線的に湾曲していることが多いからである。前記湾曲の程度は、掛止ラベルの正面表示片及び背面表示片が接した状態で掛止ラベルが回転しない程度である。
前記胴部９２の全体形状は、図示のように、水平断面視の外形が略長方形状である略四角筒状である。もっとも、胴部の全体形状は、水平断面視の外形が略正方形状である略四角筒状であってもよいし、水平断面視の外形が略六角形状の略六角筒状、略八角筒状などに形成されていてもよい（いずれも図示せず）。なお、略長方形状や略四角筒状などの「略」は、厳格な長方形や四角筒のように厳密な意味ではなく、角取りされている場合、正面などの各面が（前記平坦の意味に含まれる）湾曲している場合などを含む。
前記蓋部９５は、例えば、ネジ嵌合によって首部９４に着脱自在に取り付けられている。蓋部９５の外形は、図６に示すように、例えば、上面視円状に形成されている。前記胴部９２の正面９２ａと背面９２ｂとの間の最短直線長さは、蓋部９５の直径に略等しく、胴部９２の右側面と左側面との間の最短直線長さは、蓋部９５の直径よりも少し小さい。例えば、胴部９２の右側面と左側面との間の最短直線長さは、蓋部９５の直径よりも３ｍｍ〜１０ｍｍ小さい。
【００２２】
前記容器９内に収納される商品は、特に限定されず、インスタントコーヒーなどの食品、固形調味料などの調味料、シャンプーなどのサニタリー品、化粧品、飲料などが挙げられる。
【００２３】
図１乃至図３に示す枚葉状の掛止ラベル１について、その第１正面領域２１及び第１背面領域３１を下方に押し下げる。正面表示片２及び背面表示片３と右面片４及び左面片５との連設部分に各折り罫線７１，７２，７３，７４が形成されているので、その折り罫線７１，７２，７３，７４にて正面表示片２及び背面表示片３が折れ曲がり、第２正面領域２２及び第２背面領域３２を上方に向けて略鉛直方向に起立させることができる（図４参照）。なお、略鉛直は、水平面に対して厳密に９０度となっている場合を意味するわけではなく、９０度±１０度などのように概ね９０度という意味である。
さらに、右面片４及び左面片５を折り曲げることにより、図４に示すように、掛止ラベル１の中央部に挿通孔Ａが生じる。
掛止ラベル１を前記挿通孔Ａから容器９の上方部に嵌め入れると、第１正面領域２１が胴部９２の正面９２ａの上方部に且つ第１背面領域３１が胴部９２の背面９２ｂの上方部に面接触した状態で、第２正面領域２２及び第２背面領域３２が略鉛直方向に起立する（図５乃至図８参照）。このように第１正面領域２１及び第１背面領域３１が胴部９２に接触して係止されることにより、第２正面領域２２及び第２背面領域３２が胴部９２の正面９２ａ及び背面９２ｂの各延長面上に安定的に起立する。また、起立させた右面片４及び左面片５は、挿通孔Ａ側に倒れるように付勢されているので、右面片４の第２右面領域４２の外縁（シート材の第３縁１３）及び左面片５の第２左面領域５２の外縁（シート材の第４縁１４）が肩部９３に接すると共に、第１右面領域４１及び第１左面領域５１が蓋部９５に接して起立する。
最後に、副右面片４９及び副左面片５９を内側に押し出すことにより、図５及び図８に示すように、副右面片４９及び副左面片５９の各先端縁が容器９の段部９６に係止される。
【００２４】
本発明の掛止ラベル付き容器１０は、第１正面領域２１及び第１背面領域３１が胴部９２の平坦な正面９２ａ及び背面９２ｂに接しているので、流通過程で掛止ラベル１が回転し難く、さらに、右面片４及び左面片５の一部分が容器９の段部９６に係止されているので、流通過程で掛止ラベル１が上方に抜けることを防止できる。
さらに、前記掛止ラベル１は、正面表示片２及び背面表示片３と右面片４及び左面片５との連設部分に各折り罫線７１，７２，７３，７４が形成されているので、正面表示片２及び背面表示片３は、（連設部分で無秩序な折れ目で折れず）予め設計された箇所で折れ曲がるようになる。このため、第１正面領域２１及び第１背面領域３１を胴部９２の正面９２ａ及び背面９２ｂに面接触させた正面表示片２及び背面表示片３は、安定的に略鉛直方向に起立するようになる。
本発明の掛止ラベル付き容器１０は、正面表示片２及び背面表示片３が胴部９２の正面９２ａ及び背面９２ｂの延長面上に起立し、さらに、掛止ラベル１が容器９の軸周り方向に回転し難いので、容器９の正面９２ａ及び背面９２ｂから正面表示片２及び背面表示片３に表示されたデザインが消費者から見え易くなり、広告宣伝効果を十分に発揮できる。
また、容器９の胴部９２の正面９２ａと背面９２ｂとの間の最短直線長さが蓋部９５の直径に略等しいので、図７に示すように、第２正面領域２２及び第２背面領域３２が蓋部９５の周側面に接し、正面表示片２及び背面表示片３はより確実に略鉛直方向に起立するようになる。
加えて、その胴部９２の右側面と左側面との間の最短直線長さが蓋部９５の直径よりも少し小さいので、図８に示すように、右面片４及び左面片５も正面表示片２及び背面表示片３と同様に略鉛直方向に起立する。かかる右面片４及び左面片にも正面表示片２などと同様に所望のデザインを施しておくことにより、広告宣伝効果を十分に発揮できると共に、掛止ラベル付き容器の見栄えも向上する。
【００２５】
［第２実施形態］
次に、第２実施形態の掛止ラベル及びそれが装着された容器について説明する。ただし、第２実施形態の説明に於いて、主として上記第１実施形態と異なる構成及び効果について説明し、上記第１実施形態と同様の構成などについては、（その説明を省略したものとみなして）その説明を省略し、用語及び符号をそのまま援用する。
【００２６】
図９に示すように、第２実施形態の掛止ラベル１は、（右面片４及び左面片５に副切込み線が形成されておらず）右面片４及び左面片５の面内に折り罫線７５，７６がそれぞれ形成されている。図９においては、全ての折り罫線を一点鎖線で表している。
右面片４に形成された折り罫線７５（第５折り罫線７５という）は、右面片４（第１右面領域４１）を先端部４ａと基端部４ｂの２つの部位に区分けする位置であって第１切込み線６１と平行な直線状に延びて形成されている。左面片５に形成された折り罫線７６（第６折り罫線７６という）は、左面片５（第１左面領域５１）を先端部５ａと基端部５ｂの２つの部位に区分けする位置であって第１切込み線６１と平行な直線状に延びて形成されている。
【００２７】
また、第２実施形態の掛止ラベル１は、各連設部分に２本の折り罫線７１１，７１２，７２１，７２２，７３１，７３２，７４１，７４２がそれぞれ形成されている。具体的には、正面表示片２と右面片４の連設部分に、独立した２本の第１折り罫線７１１，７１２が形成され、正面表示片２と左面片５の連設部分には、独立した２本の第２折り罫線７２１，７２２が形成され、背面表示片３と右面片４の連設部分には、独立した２本の第３折り罫線７３１，７３２が形成され、背面表示片３と左面片５の連設部分には、独立した２本の第４折り罫線７４１，７４２が形成されている。
それぞれの２本の折り罫線７１１，７１２，７２１，７２２，７３１，７３２，７４１，７４２の向きは、上記第１実施形態と同様に、正面表示片２及び背面表示片３を起立させた際に、正面表示片２及び背面表示片３と右面片４及び左面片５との各連設部分に大きな歪みが生じないように、適宜設計される。図示例では、１つの第１乃至第４折り罫線７１１，７２１，７３１，７４１は、何れも切込み線６４，６５，６６，６７の傾斜方向とは逆向き傾斜で、シート材の各縁に対して３０度〜６０度となるように延び、もう１つの第１乃至第４折り罫線７１２，７２２，７３２，７４２は、シート材の各縁に対して６０度〜８５度となるように延びている。
【００２８】
図９に示す枚葉状の掛止ラベル１を、第１正面領域２１及び第１背面領域３１を下方に押し下げると、２本の各折り罫線７１１，７１２，７２１，７２２，７３１，７３２，７４１，７４２にて正面表示片２及び背面表示片３が折れ曲がり、第２正面領域２２及び第２背面領域３２を上方に向けて略鉛直方向に起立させることができる（図１０参照）。さらに、第５折り罫線７５において右面片４の先端部４ａを外側に折り曲げることにより、右面片４に屈曲部４ｃを形成し、同様に、第６折り罫線７６において左面片５の先端部５ａを外側に折り曲げることにより、左面片５に屈曲部５ｃを形成すると共に、右面片４及び左面片５の全体をそれぞれ引き上げることにより、図１０に示すように、掛止ラベル１の中央部に挿通孔Ａが生じる。
掛止ラベル１を前記挿通孔Ａから容器９の上方部に嵌め入れると、第１正面領域２１が胴部９２の正面９２ａの上方部に且つ第１背面領域３１が胴部９２の背面９２ｂの上方部に面接触した状態で、第２正面領域２２及び第２背面領域３２が略鉛直方向に起立する（図１１乃至図１４参照）。このように第１正面領域２１及び第１背面領域３１が胴部９２に接触して係止されることにより、第２正面領域２２及び第２背面領域３２が胴部９２の正面９２ａ及び背面９２ｂの各延長面上に安定的に起立する。さらに、右面片４及び左面片５を内側に押し出すことにより、各屈曲部４ｃ，５ｃが容器９の段部９６に係止されると共に、右面片４の先端部４ａ及び左面片５の先端部５ａが容器９の蓋部９５の外面よりも外側に突出する。また、右面片４及び左面片５は、挿通孔Ａ側に倒れるように付勢されているので、第２右面領域４２を含む基端部４ｂ及び第２左面領域５２を含む基端部５ｂが肩部９３に接する。
【００２９】
第２実施形態の掛止ラベル付き容器１０も、流通過程で掛止ラベル１が回転し難く、さらに、右面片４及び左面片５の一部分が容器９の段部９６に係止されているので、流通過程で掛止ラベル１が上方に抜けることを防止できる。さらに、各連設部分に折り罫線７１１，…がそれぞれ形成されているので、正面表示片２及び背面表示片３が、安定的に略鉛直方向に起立するようになる。
また、第２実施形態の掛止ラベル付き容器１０は、右面片４及び左面片５に形成された屈曲部４ｃ，５ｃを段部９６に係止させることによって掛止ラベル１の抜けが防止されているが、屈曲部４ｃ，５ｃに繋がる先端部４ａ，５ａが容器９の外面よりも外側に突出しているので、この先端部４ａ，５ａを指で摘んで引き出すことにより、段部９６に対する係止を簡単に解除できる。このため、第２実施形態の掛止ラベル付き容器１０は、装着された掛止ラベル１を手で簡単に取り外すことができる。
【００３０】
［変形例］
上記各実施形態では、第２切込み線６２、第４切込み線６４及び第５切込み線６５は、それぞれ直線状に形成され且つ第４切込み線６４及び第５切込み線６５は第２切込み線６２に対して斜めに形成されているが、これに限定されず、例えば、第２切込み線６２、第４切込み線６４及び第５切込み線６５の全体を１つの切込み線とみなして、それがシート材の重心側に膨らんだ円弧状に形成されていてもよいし、全体を１つの切込み線とみなして、それが鋸刃状などの任意の形状に形成されていてもよい。第２切込み線６２、第４切込み線６４及び第５切込み線６５は、１つの切込み線とみなして、第４切込み線６４の端及び第５切込み線６５の端を結んだ仮想直線よりもシート材の重心側に膨らんだ部分を有していればよい。第３切込み線６３、第６切込み線６６及び第７切込み線６７についても、同様に、上記各実施形態の形状に限られず、１つの切込み線とみなして、第６切込み線６６の端及び第７切込み線６７の端を結んだ仮想直線よりもシート材の重心側に膨らんだ部分を有していればよい。
【００３１】
また、上記実施形態の掛止ラベル１では、右面片４が第１右面領域４１及びこれとは反対側の第２右面領域４２を有し、左面片５が第１左面領域５１及びこれとは反対側の第２左面領域５２を有しているが、右面片及び左面片が第１右面領域及び第１左面領域を有さない形態に変更することもできる（図示せず）。このような形態の掛止ラベルは、例えば、上記実施形態に示した、第１右面領域４１及び第１左面領域５１が占める領域を除去したものが挙げられる。なお、このような形態に変更する場合であっても、第１実施形態の掛止ラベル１については、副右面片４９及び副左面片５９を残しておく（除去しない）ことが好ましい。
【００３２】
また、上記各実施形態の掛止ラベル１では、正面表示片２と背面表示片３及び右面片４と左面片５が、それぞれシート材の重心を基準とする点対称に形成されているが、これらは互いに点対称の関係に形成される場合に限定されず、例えば、正面表示片２の第２正面領域２２を背面表示片３の第２背面領域３２よりも大面積に形成するなどのように適宜変更することができる。
【００３３】
さらに、上記第１実施形態の掛止ラベル付き容器１０は、右面片４及び左面片５の外縁がそれぞれ容器９の肩部９３に接し（線接触し）、他方、上記第２実施形態の掛止ラベル付き容器１０は、右面片４及び左面片５の基端部がそれぞれ容器９の肩部９３に接している（面接触している）が、右面片４及び左面片５の形状や容器９の肩部９３の形状を適宜設計することにより、線接触や面接触に変更することもできる。
また、上記各実施形態の掛止ラベル付き容器１０においては、右面片４及び左面片５の双方が肩部９３に接しているが、右面片４及び左面片５の少なくとも何れか一方が肩部９３に接している構成でもよい。
なお、掛止ラベル付き容器１０において、上記各実施形態のように、右面片４及び左面片５が肩部９３に接していることによって、掛止ラベル１の装着安定性が向上するが、右面片４及び左面片５が肩部９３から離れていてもよい。
【００３４】
また、上記第２実施形態の容器９の蓋部９５は、注出ポンプを具備するが、注出ポンプを有さない蓋部９５でもよく、又、上記第１実施形態の容器９の蓋部９５に、注出ポンプが具備されていてもよい。
さらに、上記第１実施形態の掛止ラベル付き容器１０は、副右面片４９及び副左面片５９（右面片４及び左面片５）の縁が容器９の段部９６に係止されているが、これに限定されず、例えば、図１５に示すように、副右面片４９及び副左面片５９の面内に、副右面片４９及び副左面片５９をそれぞれ先端部と基端部の２つの部位に区分けする位置に折り罫線７７，７８を形成し、上記第２実施形態と同様に、その折り罫線７７，７８で折り曲げて屈曲部を形成し、それを容器９の段部９６に係止させてもよい。
【符号の説明】
【００３５】
１…掛止ラベル、２…正面表示片、２１…第１正面領域、２２…第２正面領域、３…背面表示片、３１…第１背面領域、３２…第２背面領域、４…右面片、４１…第１右面領域、４２…第２右面領域、４ａ…右面片の先端部、４ｃ…右面片の屈曲部、５…左面片、５１…第１左面領域、５２…第２左面領域、５ａ…左面片の先端部、５ｃ…左面片の屈曲部、６１，６２，６３，６４，６５，６６，６７，６８，６９…切込み線、７１，７２，７３，７４，７５，７６，７７，７８…折り罫線、９…容器、９２…胴部、９２ａ…胴部の正面、９２ｂ…胴部の背面、９３…肩部、９４…首部、９５…蓋部、９６…段部、１０…掛止ラベル付き容器
【図１】
2015067280.tif 000003
【図２】
2015067280.tif 000004
【図３】
2015067280.tif 000005
【図４】
2015067280.tif 000006
【図５】
2015067280.tif 000007
【図６】
2015067280.tif 000008
【図７】
2015067280.tif 000009
【図８】
2015067280.tif 000010
【図９】
2015067280.tif 000011
【図１０】
2015067280.tif 000012
【図１１】
2015067280.tif 000013
【図１２】
2015067280.tif 000014
【図１３】
2015067280.tif 000015
【図１４】
2015067280.tif 000016
【図１５】
2015067280.tif 000017